(57)【要約】【課題】本発明は、パレットを構成する下方の水平状フレームの所定個所に複数のキャスターを装着し、キャスター不使用時には前記キャスターが格納状態となるようにしたパレット等用キャスター機構の分野に関するものである。【解決手段】水平状フレームを構成する一対の対向フレーム中一部のフレームに、左右サイドに嵌挿孔のある基板を間隔おいて並列状にし、垂直状に固定し、基板固定のフレームと前記フレームと対向するフレームとの間に、対向フレームと直交し回動可能な回転杆を前記基板の下方部のフレームに夫々装着し、各回転杆に複数のキャスターを、不用時には格納状態となり、複数の脚部の底部が床面等に接触し、キャスターが使用時には格納状態から起立し底部が床面等から浮上り、キャスターを構成する車輪が床面等に接触するように取着する。【選択図】    図１
2005047465.tif 000002
【特許請求の範囲】
【請求項１】
四辺形にして、且水平状フレームの角部に前記フレームより下方に若干飛出する垂直状脚部を取着するパレットや台車等において、
前記水平状フレームを構成する一対の対向フレーム中一部のフレームに、左サイド及び右サイドに嵌挿孔を有する基板を所定の間隔をおいて並列状にして、且垂直状に固定し、前記基板を固定するフレームと前記フレームと対向するフレームとの間に、前記対向フレームと直交し且回動可能な回転杆を前記基板の下方部のフレームに夫々装着せしめ、前記各回転杆に複数のキャスターを、キャスターが不用時には格納状態となり、他方前記複数の脚部の夫々の底部が床面等に接触し、前記キャスターが使用時には前記の格納状態から起立し前記脚部の底部が床面等から浮上り、前記キャスターを構成する車輪が床面等に接触するように取着し、前記対向するフレームより外側方に飛出する前記回転杆の端部に、バネ受け部を取着し、且前記バネ受け部と前記基板との間に一端部に前記基盤の嵌挿孔に出入するピンを突設し、他端部を前記回転杆に取着する起伏操作部を設け、前記バネ受け部と前記起伏操作部との間にバネ体を介在し、前記起伏操作部に操作レバーを取着せしめると共に、前記操作レバーを前記バネ受け部側に押圧すると前記起伏操作部のピンが前記嵌挿孔から抜け出し、前記ピンが前記基板の左サイドの嵌挿孔に嵌挿するときは前記キャスターが格納し不使用状態となり、前記ピンが前記右サイドの嵌挿孔に嵌挿するときは前記キャスターが起立し床面等に接地して使用状態となることを特徴とするパレット等用キャスター機構。
【請求項２】
前記キャスターが前記水平状フレームの内側に位置することを特徴とする請求項１記載のパレット等用キャスター機構。
【請求項３】
前記キャスターが前記水平状フレームに４個所取着されていることを特徴とする請求項１又は請求項２記載のパレット等用キャスター機構。
【請求項４】
前記基板の形状を、前記起伏操作部のピンが前記基板からはみ出さない個所に突設せしめることを特徴とする請求項１又は請求項２又は請求項３記載のパレット等用キャスター機構。
【発明の詳細な説明】
【技術分野】
【０００１】
本発明は、パレットを構成する下方の水平状フレームの所定個所に複数のキャスターを装着し、キャスター不使用時には前記キャスターが格納状態となるようにしたパレット等用キャスター機構の分野に関するものである。
【背景技術】
【０００２】
従来搬送用パレットにキャスターを取着したものとして、特開２００１−１２１９０３（着脱自在のキャスター、その着脱用被支持物体昇降具及び上記着脱自在のキャスターを用いた搬送用パレット）が開示されている。
【０００３】
この発明は、キャスター１を簡単且確実に装着したり、取り外すことができるようにしたものであって、全キャスター１を取着したり、あるいは離脱するのに、作業者らが一個宛手作業で行なったり、あるいは持上げるための治具を必要とす等煩雑であった。
【０００４】
また前記開示の特許出願の発明は、キャスター１を一々取外さないとパレットに段積みすることができない構成であった。
【０００５】
さらに従来本願出願前に特開２００２−２２５８６６（荷積み運搬用パレット）の発明が開示されている。
【０００６】
この発明のキャスター１３は、固着した状態のまま不使用時に格納することができない構成である。
【０００７】
そのためこの発明のパレットは、積み上げるときは支柱Ｓの上端部に受枠１２を取着しキャスター１３を嵌挿しなければならなかった。
【０００８】
さらに前記発明のキャスター１３は、パレットの積み上げる時には前記支柱Ｓの受枠１２に前記キャスター１３を嵌挿させるようにしたがために、キャスター１３に大きな荷重がかかり、キャスター１３を損傷せしめるおそれがあった。
【特許文献１】特開２００１−１２１９０３公報
【特許文献２】特開２００２−２２５８６６公報
【発明の開示】
【発明が解決しようとする課題】
【０００９】
本発明のキャスター機構は、前記した従来開示の特許出願である搬送用パレットキャスターのような欠陥を解決する手段として、パレット等を構成する下方の水平状フレームに回動自在に取着した回転機構にキャスターを取着し、前記回転機構を操作するとキャスターの車輪が床面や地面等に接触したり、あるいは前記回転機構を操作するとキャスターが格納し、キャスターとしての機能がなくなり、同時にパレット等の角部に垂直状に取着の各脚部の底部が床面等に接触してパレット等を支持するようにした。
【００１０】
従って本発明は、従来のパレットのように４本の脚部で全体を支持させ、積荷作業を行うものでないので、フォークリフトを介しての運搬を不要にした。        
【００１１】
さらに本発明は、積荷をしたパレットの移動時には、脚部の底部が床面に接触していないので、床面を損傷しない利点がある。
【００１２】
また本発明は、パレットが段積みされるとき、起立していたキャスターを格納させた状態で従来のパレットと同じように段積みができると共に、格納したキャスターがパレットの下方の水平状フレームよりはみ出さないようにして、キャスターを保護し、飛出による損傷を防止した。
【課題を解決するための手段】
【００１３】
請求項１記載の発明は、四辺形にして、且水平状フレームの角部に前記フレームより下方に若干飛出する垂直状脚部を取着するパレットや台車等において、
前記水平状フレームを構成する一対の対向フレーム中一部のフレームに、左サイド及び右サイドに嵌挿孔を有する基板を所定の間隔をおいて並列状にして、且垂直状に固定し、前記基板を固定するフレームと前記フレームと対向するフレームとの間に、前記対向フレームと直交し且回動可能な回転杆を前記基板の下方部のフレームに夫々装着せしめ、前記各回転杆に複数のキャスターを、キャスターが不用時には格納状態となり、他方前記複数の脚部の夫々の底部が床面等に接触し、前記キャスターが使用時には前記の格納状態から起立し前記脚部の底部が床面等から浮上り、前記キャスターを構成する車輪が床面等に接触するように取着し、前記対向するフレームより外側方に飛出する前記回転杆の端部に、バネ受け部を取着し、且前記バネ受け部と前記基板との間に一端部に前記基盤の嵌挿孔に出入するピンを突設し、他端部を前記回転杆に取着する起伏操作部を設け、前記バネ受け部と前記起伏操作部との間にバネ体を介在し、前記起伏操作部に操作レバーを取着せしめると共に、前記操作レバーを前記バネ受け部側に押圧すると前記起伏操作部のピンが前記嵌挿孔から抜け出し、前記ピンが前記基板の左サイドの嵌挿孔に嵌挿するときは前記キャスターが格納し不使用状態となり、前記ピンが前記右サイドの嵌挿孔に嵌挿するときは前記キャスターが起立し床面等に接地して使用状態となることを特徴とするパレット等用キャスター機構である。
【００１４】
請求項２記載の発明は、前記キャスターが前記水平状フレームの内側に位置することを特徴とする請求項１記載のパレット等用キャスター機構である。
【００１５】
請求項３記載の発明は、前記キャスターが前記水平状フレームに４個所取着されていることを特徴とする請求項１又は請求項２記載のパレット等用キャスター機構である。
【００１６】
請求項４記載の発明は、前記基板の形状を、前記起伏操作部のピンが前記基板からはみ出さない個所に突設せしめることを特徴とする請求項１又は請求項２又は請求項３記載のパレット等用キャスター機構である。
【発明の効果】
【００１７】
請求項１記載の発明のパレット等用キャスター機構は、四辺形にして、且水平状フレームの角部に前記フレームより下方に若干飛出する垂直状脚部を取着するパレットや台車等において、前記水平状フレームを構成する一対の対向フレーム中一部のフレームに、左サイド及び右サイドに嵌挿孔を有する基板を所定の間隔をおいて並列状にして、且垂直状に固定し、前記基板を固定するフレームと前記フレームと対向するフレームとの間に、前記対向フレームと直交し且回動可能な回転杆を前記基板の下方部のフレームに夫々装着せしめ、前記各回転杆に複数のキャスターを、キャスターが不用時には格納状態となり、他方前記複数の脚部の夫々の底部が床面等に接触し、前記キャスターが使用時には前記の格納状態から起立し前記脚部の底部が床面等から浮上り、前記キャスターを構成する車輪が床面等に接触するように取着し、前記対向するフレームより外側方に飛出する前記回転杆の端部に、バネ受け部を取着し、且前記バネ受け部と前記基板との間に一端部に前記基盤の嵌挿孔に出入するピンを突設し、他端部を前記回転杆に取着する起伏操作部を設け、前記バネ受け部と前記起伏操作部との間にバネ体を介在し、前記起伏操作部に操作レバーを取着せしめると共に、前記操作レバーを前記バネ受け部側に押圧すると前記起伏操作部のピンが前記嵌挿孔から抜け出し、前記ピンが前記基板の左サイドの嵌挿孔に嵌挿するときは前記キャスターが格納し不使用状態となり、前記ピンが前記右サイドの嵌挿孔に嵌挿するときは前記キャスターが起立し床面等に接地して使用状態となるパレット等用キャスター機構なので、パレット等への積荷作業の開始時には、キャスターの起立と同時に脚部の底部を持上げ床面との接地を解消せしめる一連の操作が極めて容易にできる利点を有している。
【００１８】
さらに本発明のキャスター機構は、操作レバーを左右何れかの方向に移動するだけで、２個のキャスターが一度に起立したり、あるいは格納できる利点を有している。
【００１９】
請求項２記載の発明のキャスター機構は、前記キャスターが前記水平状フレームの内側に位置するパレット等用キャスター機構なので、請求項１記載の発明と同じ効果と、パレットが段積みされても、フレームよりキャスターがはみ出さないので、損傷のおそれがない利点を有している。
【００２０】
請求項３記載の発明のキャスター機構は、前記キャスターが前記水平状フレームに４個所取着されているパレット等用キャスター機構なので、請求項１又は請求項２記載の発明と同じ効果を有していると共に、パレットの状態を安定させ確保することができる。
【００２１】
請求項４記載の発明のキャスター機構は、前記基板の形状を、前記起伏操作部のピンが前記基板からはみ出さない個所に形成せしめるパレット等用キャスター機構なので、請求項１又は請求項２又は請求項３記載の発明と同じ効果を有している。
【発明を実施するための最良の形態】
【００２２】
本発明の請求項１〜４記載の発明に関する実施の形態は、図面にもとづき以下のとおり一括して説明する。
【００２３】
図面において、ａは本発明のパレット等用キャスターｋが装着されているパレットである。このパレットａの構造は、以下の構成部材からなっている。
【００２４】
このパレットａは、下方に対向する四辺形状のフレーム１、２を設ける。そして前記４本のフレーム１、２の４個所の各角部にこれら各角部より下方に若干飛出する垂直状脚部３を４本取着する。４は前記脚部３の底部であり、パレットａが段積みされたとき別設パレットａの脚部３の頭部２６が確実に嵌挿できる形状の凹形状にて形成されている。５は一方の対向するフレーム１同士の内側方に他方のフレーム２、２と平行状に接続せしめた内側フレームである。図面には２本形成されているが限定しない。７は前記内側フレーム６の所定個所に垂直状に取着した緩衝材であり複数本設ける。８は前記脚部３の中間部より若干上方部にして、且前記内側フレーム６と平行する左サイドの脚部３と右サイドの後方脚部３との間に介在する脱着式フレーム９を夫々対向する各脚部３の内側方に突設する４本のピンである。  
【００２５】
前記脱着式フレーム９の表面部にはゲート用緩衝材１２を設ける。        
【００２６】
以上の構成部材等をもって組立てられたパレットａに対し、本発明のキャスターｋは以下のようにして装着されている。
【００２７】
前記した一方の対向する水平状フレーム１中、前方の前記フレーム１の外側面１３に半円形状にして、且下方底部が水平状の基板１４を垂直状に取着する。そして前記基板１４は、前記フレーム１の左サイドと右サイドに設ける。さらに前記基盤１４の左サイドと右サイドに嵌挿孔１５を２個所形成する。
【００２８】
さらに前記基板１４の中央より下方にして、且前記基板１４を取着したフレーム１の下方部と、前記フレーム１と対向するフレーム１の下方部にして、且前記フレーム１の内側方に回転杆１６を支持する取付け金具１７を夫々接着する。
【００２９】
そして前記取付け金具は、前記基板１４の直下のフレーム１に２個取着し、対向するフレーム１にも２個同じ間隔で設置する。従って前記の対抗フレーム１に対向させて設置の２組の取付け金具１７に、前記回転杆１６を１本宛嵌挿し前記基板１４よりも外側方に若干突設させる。
【００３０】
さらに対向する取付け金具１７に、キャスターｋを前記キャスターｋの車輪１９が床面２０に接触する時は、前記脚部３の底部４が床面２０から若干浮き上って床面２０をこすらない状態となるように、前記金具１７に前記キャスターｋを取着する。
【００３１】
次に前記キャスターｋを起立させたりあるいは格納する操作機構は以下のとおりである。
【００３２】
前記基板１４を取着のフレーム１の外側面１３より若干はみ出ている前記回転杆１８の端部に、前記基板１４と平行状にバネ受け部２１の一端部を取着する。
【００３３】
さらに前記基板１４とバネ受け部２１との間には、上方端部に前記基板１４に形成の嵌挿孔１５内に出入するピン２２を突設し、さらに下方端部は前記回転杆１６に接続する起伏操作部１８を設ける。この起状操作部１８は、下方端部に嵌挿孔を設け通常前記回転杆１６に嵌挿せしめ、嵌挿させた起伏操作部１８が回転杆１６の長さ方向に若干傾倒する。さらに前記のように回転杆１６に嵌挿した前記起伏操作部１８の左サイド及び右サイドに、前記回転杆１６にスペーサー１８ａ、１８ａを嵌挿させる。前記回転杆１６とスペーサー１８ａ、１８ａとの関係は、前記両スペーサー１８ａに前記回転杆１６に嵌挿可能な嵌挿孔１８ｂが設けられているので、前記嵌挿孔１８ｂに前記回転杆１６を嵌挿させ回転杆１６に両スペーサー１８ａ、１８ａを固着する。
【００３４】
前記回転杆１６に嵌挿している起伏操作１８とスペーサー１８ａ、１８ａとの間は若干の間隙部１８ｃを設けている。その理由は前記起伏操作部１８が前記バネ受け部２１と基部１４の方向に若干傾斜を可能ならしめるためである。
【００３５】
さらに前記起伏操作部１８と両スペーサー１８ａ、１８ａの下方部をピン等の接続部１８ｄを介して一体に接続する。
【００３６】
さらに前記バネ受け部２１と起伏操作部１８との間にバネ体２３を離脱しないように介在させる。前記バネ体２３はスプリング方式とするが板状バネでもよい。
【００３７】
さらに前記起伏操作部１８の外側面２４に飛出状態の操作レバー２５を取着する。  
【００３８】
前記操作レバー２５は、前記キャスターｋの起立状態時には、前記基板１４を取着するフレーム１とやや直角状となって、ピン２２が右側方の嵌挿孔１５に嵌合し、他方前記キャスターｋの格納時には、前記ピン２２が左側方の嵌挿孔１５に嵌挿し、前記操作レバー２５が前記基板１４を取着したフレーム１と平行状もしくは若干下り気味に位置する。
【００３９】
前記基板１４の２つの嵌挿孔１５の中、何れか一方の嵌挿孔１５にピン２２が嵌合しているときは、前記バネ体２３の作用によって前記起伏操作部１８が基板１４の方向に押圧されて、ピン２２が前記嵌挿孔１５から不用意に離脱しない機構になっている。
【００４０】
本発明の前記キャスターｋは、通常図面図示のように、対向するフレーム１の内側方にして、且回転杆１６に２個取着する。さらに前記キャスターは図１、２、３、４に図示されているように、格納時には、車輪１９が右側方、即ち脚部３の方向に向かわせた状態にして取着するし、他方図５に図示しているように前記キャスターｋとは別個に、左側方、即ち前記脚部３と対向する脚部３の方向に向わせて格納するように取着している。
【００４１】
従って左サイドと右サイドの回転杆１６に２個宛取着されている前記キャスターｋを起立もしくは格納するときの操作機構である操作起伏操作部１８に取着の操作レバー２５は、キャスターｋを起立させたり、あるいは格納させたときの状態は図５に図示されているように対称的である。従って右側のキャスターｋが起立するときのピン２２と嵌挿孔１５との嵌挿状態と、左側のキャスターｋが起立しているときのピン２２と嵌挿孔１５との嵌挿状態は異なっている。
【００４２】
そして前記キャスターｋが起立すると、起立状態を確保するのに、内側フレーム６にストッパー２７が設けている。このストッパー２７によって起立したキャスターｋの頭部の取付け金具１７が係止される。
【００４３】
本発明のキャスターｋ機構を装着せしめたパレットａに荷積作業をする時は、前記各機構を操作して前記キャスターｋを起立させ脚部３の底部４を浮き上らせ、床面２０から若干の間隔を有する状態にする。
【００４４】
そしてパレットａへの積荷作業が終了し、所定の場所まで移動するときは、前記パレットａを押すと前記キャスターｋの作用によって、床面２０を傷つけることなく移動ができる。
【００４５】
さらにキャスターｋは、一本の回転杆１６に２個宛取着されているので、操作レバー２５を操作してバネ体２３を押圧すればピン８も嵌挿孔１５より容易にはずれる。そのため、前記レバー２５左右何れかの方向への操作は極めてスムーズにできる。
【００４６】
さらに本発明において、バネ体２３がピン８を嵌挿孔１５の方向に押圧しているので、前記ピン８が容易に離脱しない。
【００４７】
さらに前記パレットａに積荷がなくなったら、前記の操作機構を操作することによって、前記回転杆１６に取着の前記キャスターｋを起立から格納状態にしてやる。そして格納と同時に脚部３の底部４は床面２０に接地する。
【００４８】
前記キャスターｋの格納後は、前記パレットａを段積みすると、４本の脚部３の頭部２６に底部２０が嵌挿する。
【００４９】
さらに本発明のキャスター機構は、操作レバー２５を左側方もしくは右側方に回動操作をすると、回転杆１６、起伏操作部１８及びバネ受け部２１が一体となって回動する。
【００５０】
そして段積み時には、前記キャスターｋが格納状態になっているので、引掛ったりしない。
【図面の簡単な説明】
【００５１】
【図１】本発明パレット等用キャスター機構を取着したパレットにおいて、キャスターが起立した状態の一部切欠拡大斜視図である。
【００５２】
【図２】同キャスター機構が格納された状態のパレットの一部切欠拡大斜視図である。
【００５３】
【図３】同要部であるキャスターが起立した状態の一部切欠拡大正面図である。
【００５４】
【図４】同要部のキャスターが格納された状態の一部切欠拡大正面図である。
【００５５】
【図５】同キャスター機構のキャスターが起立しているパレットの側面図である。
【００５６】
【図６】同キャスター機構のキャスターが起立しているパレットの正面図である。
【００５７】
【図７】同キャスター機構の一切欠拡大側面図である。
【符号の説明】
【００５８】
ａ      パレット
ｋ      キャスター
１      フレーム
２      フレーム
３      脚部
４      底部
５      内側フレーム
６      フレーム
７      緩衝材
８      ピン
９      フレーム
１０    フレーム
１２    ゲート用緩衝材
１３    外側面
１４    基板
１５    嵌挿孔
１６    回転杆
１７    取付け金具
１８    起伏操作部
１８ａ  スペーサー
１８ｂ  接続部
１８ｃ  間隙部
１９    車輪
２０    床面
２１    バネ受け部
２２    ピン
２３    バネ体
２４    外側面
２５    操作レバー
２６    頭部
２７    ストッパー
【図１】
2005047465.tif 000003
【図２】
2005047465.tif 000004
【図３】
2005047465.tif 000005
【図４】
2005047465.tif 000006
【図５】
2005047465.tif 000007
【図６】
2005047465.tif 000008
【図７】
2005047465.tif 000009